(57)【要約】【課題】台所に設けられた上部収納庫１の底板１１の下面に取り付けられる台所テレビ２では本体３を上部収納庫１内に格納すると、上部収納庫１内の収納スペースが狭められる。そこで、本体３を上部収納庫１の底板１１の下面に取り付けるようにしたい。ところが、本体３が露出すると、アンテナ線などの本体３に接続する配線が露出し、体裁が悪くなる。また、本体３の側面に接続用の端子を設けたのでは、その側面が障害物で邪魔されないように取付位置が制限される。【解決手段】本体の後端部に凹状の端子収納部を設け、通常時はその端子収納部をカバー５で覆うようにした。端子収納部への配線は上部収納庫１内から配線し、あるいは本体後方の壁面内部を通すことによって外部への露出を防止できる。【選択図】  図２
2007142700.tif 000002
【特許請求の範囲】
【請求項１】
台所に設置された上部収納庫の底板下面に取り付け可能な箱状の本体と、この本体に垂下されたモニタ部とを備えた台所テレビ装置において、モニタ部は本体の前端部分に垂下されると共に、本体の後端部から前方に向かって凹状の端子収納部を形成し、その端子収納部の左右内側面に外部との信号の入出力をするための端子を取り付けたことを特徴とする台所テレビ装置。
【請求項２】
上記端子収納部の左右両側面を後方に向かって所定角度傾けて形成したことを特徴とする請求項１に記載の台所テレビ装置。
【請求項３】
上記端子収納部の下面と後面とを覆う断面Ｌ字状のカバー部材を設けると共に、このカバー部材の屈曲部が揺動中心となるように、カバー部材を本体に着脱自在に係合させると共に、カバー部材が本体に装着されている状態から、カバー部材の下面部分を下方に所定角度揺動させた後に、カバー部材を本体から取り外すように構成したことを特徴とする請求項１または請求項２に記載の台所テレビ装置。
【請求項４】
上記カバー部材のうち、端子収納部の後面を覆う部分に取り外し可能な蓋部材を設け、この蓋部材を取り外した状態でカバー部材を本体に取り付けると、蓋部材が取り外された部分を介して端子収納部が後方に開放されることを特徴とする請求項３に記載の台所テレビ装置。
【発明の詳細な説明】
【技術分野】
【０００１】
本発明は、台所に設置可能であって、水平な下面に取り付けれる本体と、その本体に垂下されるモニタ部とを備えた台所テレビ装置に関する。
【背景技術】
【０００２】
従来のこの種の台所テレビ装置として、例えば台所に設置されている上部収納庫の底板に長方形の窓穴を形成し、この窓穴を上部収納庫の内側から覆う本体を備えると共に、この窓穴を通して本体から下方に垂下されたモニタ部を有する台所テレビ装置が知られている（例えば、特許文献１参照）。
【特許文献１】特開２００４−２４１９１９号公報（図２、図３）
【発明の開示】
【発明が解決しようとする課題】
【０００３】
上記従来の台所テレビ装置では、本体が上部収納庫内に配置されるため、上部収納庫内で本体の上に棚板を設置するなどして、本体に収納物が接触しないようにする必要がある。そのため、上部収納庫の収納スペースが本体によって侵食され、収納スペースが減少するという不具合が生じる。
【０００４】
なお、このような不具合を解消するため、本体を上部収納庫の底板下面に単に固定しただけでは、本体に接続されるアンテナ線や電源コードが剥き出しとなり、体裁が悪く、そのままの形態で実施することはできない。
【０００５】
そこで本発明は、上記の問題点に鑑み、上部収納庫の収納スペースを損なうことなく、かつ体裁が悪くならない台所テレビ装置を提供することを課題とする。
【課題を解決するための手段】
【０００６】
上記課題を解決するために本発明による台所テレビ装置は、台所に設置された上部収納庫の底板下面に取り付け可能な箱状の本体と、この本体に垂下されたモニタ部とを備えた台所テレビ装置において、モニタ部は本体の前端部分に垂下されると共に、本体の後端部から前方に向かって凹状の端子収納部を形成し、その端子収納部の左右内側面に外部との信号の入出力をするための端子を取り付けたことを特徴とする。
【０００７】
本体を上部収納庫の底板下面に取り付けた状態で、外部からの配線を行う場合、凹状の端子収納部内に設けられた端子に接続することになる。この端子収納部への配線は、上部収納庫内を通して、更に上部収納庫の底板に形成した必要最小限の貫通孔を通して配線することができ、体裁を損なわない。また、本体の後端が台所の壁面に近接する場合には、配線を壁面内を通し、更に壁面に形成した配線用の貫通孔を通して配線することができ、やはり体裁が損なわれない。なお、端子収納部を凹状に形成した場合、左右両側面のほかに後方に向いた前端面の３つの内面が形成される。ところが、この前端面は後方に向いているので端子をその前端面に設けた場合には、前方から見た場合、端子が隠れて目視できない。これに対して、本発明のように、左右両側面に端子を設けると、少し視線を左右に振るだけで前方から左右両側面の端子を目視することができる。また、このように凹状の端子収納部を形成したので、本体の側面が壁面や冷蔵庫、食器収納庫などの厨房機器によって塞がれても配線に支障がなく、したがって、台所テレビの設置位置に制約を受けることがない。
【０００８】
ところで、ＡＶ入力端子は外部からの映像信号や音声信号が入力される端子であるが、この端子に信号線を恒久的に接続して使用する場合のほか、使用したい場合に一時的に信号線を接続する使用形態も考えられる。ＡＶ入力端子に接続されるプラグは抜き差し方向に比較的長いものが多い。そのため、プラグの着脱にある程度のスペースが必要となる。またその他のケーブル類についてもプラグ部分近傍で屈曲させなければならないが、Ｓの曲率半径は可能な限り大きい方が望ましい。
【０００９】
そこで、上記端子収納部の左右両側面を後方に向かって所定角度傾けて形成した。これにより、ＡＶ入力端子や他の端子に対する抜き差し方向に後方のスペースを利用することができ、ＡＶ入力端子に対するプラグの抜き差しが容易になり、また他の恒久的に配線されるコード類についても屈曲部の曲率半径を大きくすることができる。
【００１０】
次に、従来のものでは本体を上部収納庫内に設置したため、本体が台所内の雰囲気に晒されることはなかった。ところが、本発明のように本体を上部収納庫から出し、上部収納庫の底板の下面に露出した状態で取り付けると、台所特有の水蒸気や油煙に本体が晒されることになる。特に、上部収納庫の底板の下面に沿って油煙や水蒸気が流れる場合が多く、本体から端子が露出していると、これら油煙などが汚れとなって端子に付着し望ましくない。そのため、上記構成による台所テレビでは、端子収納部を覆うカバー部材を取り付ける必要が生じる。ところが、台所の構造によっては本体の後方に壁面が近接している場合があり、カバー部材の開閉時に本体の後端部より更に後方にカバー部材が移動するように構成すると、カバー部材が壁面に干渉してカバー部材の開閉を行うことができなくなる。
【００１１】
そこで、上記端子収納部の下面と後面とを覆う断面Ｌ字状のカバー部材を設けると共に、このカバー部材の屈曲部が揺動中心となるように、カバー部材を本体に着脱自在に係合させると共に、カバー部材が本体に装着されている状態から、カバー部材の下面部分を下方に所定角度揺動させた後に、カバー部材を本体から取り外すように構成した。
【００１２】
この構成では、カバー部材の底面部分を下方に揺動させると、必然的に後面部分は本体内部、すなわち前方へ揺動する。そのため、本体の後方に壁面が近接していても、カバー部材の特に後面部分が壁面に干渉することがない。
【００１３】
なお、本体の後方に壁面が近接している場合には、上述のように、配線は壁面内を通す。その際、上記カバー部材のうち、端子収納部の後面を覆う部分に取り外し可能な蓋部材を設け、この蓋部材を取り外した状態でカバー部材を本体に取り付けると、蓋部材が取り外された部分を介して端子収納部が後方に開放されるように構成しておけば、蓋部材の取り外された部分を通して壁面内からの配線を本体側へ導入することができる。
【発明の効果】
【００１４】
以上の説明から明らかなように、本発明は、上部収納庫の底板下面に本体を取り付けるように構成したので、上部収納庫内の収納スペースが減少することが無く、かつ、本体に端子収納部を設けたので、配線が広がらず体裁を損なうことがない。
【発明を実施するための最良の形態】
【００１５】
図１を参照して、１は台所Ｋ内に設置された上部収納庫であり、内部は収納用の空間が確保されている。この上部収納庫１の底板１１の下面に本発明による台所テレビ２を取り付けた。
【００１６】
図２に示すように、この台所テレビ２は底板１１の下面に固定される箱状の本体３と、この本体３の下面であって前端よりも部分に垂下されたモニタ部４とで構成されている。モニタ部４は本体３との連結部分を中心に前後後方に揺動することができ、図示の状態から本体３に近接する姿勢に跳ね上げることができる。また、図示の状態でモニタ部は垂直軸を中心に左右両方へ回動することができる。
【００１７】
本体３の後端部分にはカバー５で覆われた端子収納部３１を形成した。この端子収納部３１は、図３および図４に示すように、本体３の後端部から前方に向かって凹状に形成した。また、左右内側面３２，３３には各種の端子を設けた。この台所テレビ２には外部からの電源コードおよびアンテナからの受信信号が送られてくるケーブルなど、必ず接続しなければならないコード類Ｌがある。そして、そのようなコード類Ｌは一旦本体３に接続すると、ほとんど取り外すことがない。このように恒久的に接続されるコード類Ｌが接続される端子を右側の内側面３３に設けた。
【００１８】
一方、外部から映像信号や音声信号であるＡＶ信号が入力されるＡＶ入力端子３２ａは左側の内側面３２に取り付けた。このＡＶ入力端子３２ａには、居間などのＤＶＤ装置などのＡＶ機器と接続するためＡＶ信号用のコードを恒久的に接続してもよいが、通常は何も接続せず、一時的にＡＶ信号を入力してモニタ部４で映像や音楽を再生してもよい。
【００１９】
端子収納部３１は、通常はカバー５で覆われているので、ＡＶ信号用のコードをＡＶ入力端子３２ａに接続する際にはカバー５を取り外す。カバー５を取り外すと、ＡＶ入力端子３２ａが露出するので、手作業でＡＶ入力端子３２ａにコードを接続する。具体的にはコードの先端に接続されているプラグＰをＡＶ入力端子３２ａに差し込む。
【００２０】
プラグＰは抜き差し方向に比較的長尺であるため、特に引き抜き方向に障害物が近接していないことが望まれる。両内側面３２，３３は対向しているので、プラグＰを引き抜く際に右側のない側面３３が邪魔にならないようにすることが望ましい。そこで、左側の内側面３２を後方に傾けて形成した。なお、右側の内側面３３も同じく後方に傾けて形成したので、コード類Ｌの屈曲部分の曲率半径を大きくすることができる。
【００２１】
ところで、カバー５は下面部５１と後面部４２とから構成された断面Ｌ字状の形成されており、その屈曲部に左右１対の揺動軸５４を形成した。この揺動軸５４は端子収納部３１に設けられた軸受け部３４に係合する。また、後面部５２には着脱自在の蓋板５３を設けた。
【００２２】
図５を参照して、カバー５が本体３に取り付けられている状態、すなわち端子収納部３１がカバー５で覆われている状態で、下面部５１の前端を本体３から外し、揺動軸５４を中心として下方に揺動させる。すると、後面部５２は前方に向かって揺動する（Iに示す状態）。次にカバー５を若干持ち上げ、更に前方に引いて揺動軸５４を軸受け部３４から外す（IIに示す状態）。この状態になればカバー５は自重で下に下がり、本体３から取り外される。特にIに示す状態からわかるように、カバー５を本体３から取り外す際に、本体３の後面より後面部５２が後方へ突き出すことが無く、従って、本体３の後方に壁部Ｗが近接していても、カバー５を壁部Ｗに干渉させることなく取り外すことができる。
【００２３】
図５に示すように、本体３の後方に壁部Ｗが近接している場合には各種の配線は壁部Ｗに形成した配線用の貫通孔ＷＨを通して配線する。このとき、蓋板５３を取り外しておき、蓋板５３が取り外された空間を通して配線を行う。
【００２４】
また、対面式キッチンのように、本体３の後方に壁部Ｗが無い場合には、底板１１に貫通孔１１ａを設けて、その貫通孔１１ａを通して配線を行えばよい。
【００２５】
なお、本発明は上記した形態に限定されるものではなく、本発明の要旨を逸脱しない範囲内において種々の変更を加えてもかまわない。
【図面の簡単な説明】
【００２６】
【図１】本発明の一実施の形態の構成を示す図
【図２】台所テレビを下方から見た斜視図
【図３】本体を直下から見た図
【図４】内側面の状態を示す図
【図５】カバーの着脱手順を説明する図
【符号の説明】
【００２７】
１  上部収納庫
２  台所テレビ
３  本体
４  モニタ部
５  カバー
３２  内側面
３２ａ  ＡＶ入力端子
５１  下面部
５２  後面部
５４  揺動軸
【図１】
2007142700.tif 000003
【図２】
2007142700.tif 000004
【図３】
2007142700.tif 000005
【図４】
2007142700.tif 000006
【図５】
2007142700.tif 000007